(57)【要約】【課題】効率的かつ均一に壁面をライトアップさせるための内装仕上げ部材及びカバー部材を提供する。【解決手段】建物の凸部１１は、内装仕上げ部材２０と、一対の内装仕上げ部材２０の間に形成された建物開口部に配置されたガラス部材１３とから構成されている。対となる内装仕上げ部材２０の間には、ＬＥＤ光源が実装された面発光部材１７が配置されている。内装仕上げ部材２０は、第１方立３１の開口部側を覆うカバー部材４０を備えている。カバー部材４０は、モジュール枠３５の見付け方向の内側の端面と面一となる側面部と、この側面部に対して屈曲した屈曲部とを備えている。この屈曲部は、第１方立３１の第１部材の見込み方向の手前側の端部まで延びており、この端部において鋭角で尖がった形状をしている。【選択図】図２
2015078540.tif 000002
【特許請求の範囲】
【請求項１】
建物開口部に突出して設けられる内装仕上げ部材であって、
前記建物開口部の外側に配置されるパネル部材を支持する方立と、前記方立の前記建物開口部側の側面を覆うカバー部材とを備え、
前記カバー部材は、前記パネル部材が支持される端部において、前記パネル部材との間で隙間を形成するように配置されたことを特徴とする内装仕上げ部材。
【請求項２】
前記パネル部材よりも前記建物開口部の内側に配置される幕を着脱可能に取り付けるための固定部材を備えており、
前記カバー部材は、前記固定部材を覆うことを特徴とする請求項１に記載の内装仕上げ部材。
【請求項３】
前記カバー部材は、前記方立に対して着脱可能に設けられており、
前記方立は、前記パネル部材と平行で、前記パネル部材よりも前記建物開口部の内側に配置される光源部材を着脱可能に支持する光源支持部が設けられていることを特徴とする請求項１又は２に記載の内装仕上げ部材。
【請求項４】
前記カバー部材は、前記建物開口部の側面において、前記光源支持部の端部よりも突出しない大きさで形成されていることを特徴とする請求項３に記載の内装仕上げ部材。
【請求項５】
建物開口部の外側に配置されるパネル部材を支持する方立の前記建物開口部側の側面を覆うカバー部材であって、
前記パネル部材が支持される端部において、前記パネル部材との間で隙間を形成するように配置されたことを特徴とするカバー部材。
【発明の詳細な説明】
【技術分野】
【０００１】
本発明は、建物の内装に用いられる内装仕上げ部材及びこれに用いられるカバー部材に関する。
【背景技術】
【０００２】
壁面をライトアップするためのカーテンウォールを有する建物が検討されている（例えば、特許文献１参照）。この文献に記載のカーテンウォールは、方立と、合わせパネルと、照明具とを備えている。合わせパネルは、透光する厚みの石パネルを内外の透光性パネル間に接着されており、方立間に取り付けられる。照明具は、方立のパネル取付部の屋内側の見込み面に方立の長手方向に配置される。この構成により、合わせパネルが屋内側より上から下まで均一に強く照らされるので、意匠性に優れた外観を形成することができる。
【先行技術文献】
【特許文献】
【０００３】
【特許文献１】特開２００６−１７６９６０号公報
【発明の概要】
【発明が解決しようとする課題】
【０００４】
しかしながら、方立の長手方向に照明具を配置して、建物の外部に光を透過させた場合、建物の開口部の開口面積が広いと、照明強度を上げることが難しいことがある。一方、開口部の開口面と平行に、照明を配置することが考えられる。しかしながら、この場合には、開口面の端部において、均一な照度を保つことは難しい。
【０００５】
本発明は、上述の課題に鑑みてなされ、その目的は、効率的かつ均一に壁面をライトアップさせるための内装仕上げ部材及びカバー部材を提供することにある。
【課題を解決するための手段】
【０００６】
上記課題を解決する内装仕上げ部材は、建物開口部に突出して設けられる内装仕上げ部材であって、前記建物開口部の外側に配置されるパネル部材を支持する方立と、前記方立の前記建物開口部側の側面を覆うカバー部材とを備え、前記カバー部材は、前記パネル部材が支持される端部において、前記パネル部材との間で隙間を形成するように配置されたこと要旨とする。
【０００７】
この構成によれば、カバー部材は、パネル部材が支持される端部において形成された隙間を介して、光が端部にまで回り込む。このため、光の効率を向上させるために建物開口部に光源を面状に配置した場合であっても、この光源の光がパネル部材の端部まで回り込むので、均一にライトアップすることができる。
【０００８】
上記内装仕上げ部材について、前記パネル部材よりも前記建物開口部の内側に配置される幕を着脱可能に取り付けるための固定部材を備えており、前記カバー部材は、前記固定部材を覆うことが好ましい。この構成によれば、照明の光を幕が受けて、外部に光を透過させることができる。この場合、幕を固定する固定部材がカバー部材によって覆われているので、固定部材がカバー部材によって脱落し難く、幕をしっかりと固定することができる。
【０００９】
上記内装仕上げ部材について、前記カバー部材は、前記方立に対して着脱可能に設けられており、前記方立は、前記パネル部材と平行で、前記パネル部材よりも前記建物開口部の内側に配置される光源部材を着脱可能に支持する光源支持部が設けられていることが好ましい。この構成によれば、光源部材を装着又は脱離させることにより、一対の方立部材間の建物開口部の外観を容易に変更することができる。
【００１０】
上記内装仕上げ部材について、前記カバー部材は、前記建物開口部の側面において、前記光源支持部の端部よりも突出しない大きさで形成されていることが好ましい。この構成によれば、光源部材を取り外した場合、これを支持していた光源支持部よりもカバー部材が建物開口部側に突出しないので、一対の方立部材の建物開口部の空間をすっきりとさせることができる。
【発明の効果】
【００１１】
本発明によれば、効率的かつ均一に壁面をライトアップさせることができる。
【図面の簡単な説明】
【００１２】
【図１】実施形態における内装仕上げ部材を適用した建物の外観斜視図。
【図２】実施形態における内装仕上げ部材の平面図。
【図３】実施形態における内装仕上げ部材の要部拡大図。
【図４】実施形態において受光幕と面発光部材とを設置した状態を説明する説明図であって、（ａ）は要部の平面図、（ｂ）は正面図。
【図５】実施形態において受光幕と面発光部材とを取り外した状態を説明する説明図であって、（ａ）は要部の平面図、（ｂ）は正面図。
【発明を実施するための形態】
【００１３】
以下、図１〜図５に従って、一実施形態を説明する。
図１は、本実施形態の建物の全体斜視図である。本実施形態では、図１に示すように、凹凸形状のファサードを有する建物１０に適用する。すなわち、この建物１０の外周部には、複数の凸部１１が形成されている。また、建物１０の凸部１１の間には、後述する窓部材１２が配置されている。なお、本実施形態では、凸部１１は光壁として利用する。
【００１４】
図２は、建物１０の凸部１１の平面断面図である。各凸部１１は、建物１０の側面に配置される２つ（一対）の内装仕上げ部材２０と、一対の内装仕上げ部材２０の間に形成された建物開口部に配置されたガラス部材１３とから構成されている。一対の内装仕上げ部材２０は、凸部１１の見込み方向に対して左右対称に配置される。ガラス部材１３は、建物開口部の外側に配置されるパネル部材として機能し、ガラスから構成されている。
【００１５】
図２に示すように、本実施形態の各内装仕上げ部材２０は、複数のボルト１５によって取り付けられたリップ溝形鋼１４を介して、方立ブラケット１６に固定されている。この方立ブラケット１６は、図示しないファスナーを介して建物１０の梁に取り付けられている。
【００１６】
各内装仕上げ部材２０は、先端部近傍の建物開口部に面した（見込み方向の手前側の）凹部において、上述したガラス部材１３の端部を固定する。更に、各内装仕上げ部材２０は、建物１０の内側（見込み方向の奥側）の端部において、左右両側にそれぞれ開口した２つの凹部が形成されている。これら凹部は、上述した窓部材１２及び面発光部材１７をそれぞれ支持する。この場合、両側の凹部の配置により、窓部材１２と面発光部材１７とが同一平面上に並ぶことになる。
【００１７】
本実施形態の面発光部材１７は、内装仕上げ部材２０から着脱可能なパネル形状の光源部材であって、面発光するＬＥＤ光源が実装されたライトモジュールである。本実施形態では、この面発光部材１７は、ＬＥＤ光源の面がガラス部材１３と対向するように配置される。更に、面発光部材１７とガラス部材１３との間で、ガラス部材１３の近傍には、受光幕１８が張設されている。この受光幕１８は、シート状の半透過性の白色の幕である。受光幕１８は、面発光部材１７のＬＥＤ光源からの光を受け取ってライトアップされる。
【００１８】
次に、図３を用いて、内装仕上げ部材２０の構成について詳述する。図３は、図２において右側に配置された内装仕上げ部材２０の構成を説明するための説明図である。
図３に示すように、各内装仕上げ部材２０は、第１方立３１、第２方立３２、押縁３３、固定部材３４、モジュール枠３５、カバー部材４０及び化粧カバー５０を備えている。
【００１９】
第１方立３１の断面は、全体として、異なる大きさの３つの長方形状を、各長方形の１つの辺（凸部１１の側面を構成する辺）が一直線上となるように一体化した形状からなる。具体的には、第１方立３１は、見付け方向のサイズが一番大きい第１部材３１ａの各短辺側に、見込み方向のサイズが一番大きい第２部材３１ｂ及びサイズが一番小さい第３部材３１ｃをそれぞれ接続するように配置した形状をしている。
【００２０】
第１方立３１は、第１部材３１ａ、第２部材３１ｂ及び第３部材３１ｃの外側面（凸部１１の側面）に、断面Ｌ字形状の突条部３１ｄを有する。この突条部３１ｄは、複数、離散した位置に形成されている。更に、第１方立３１は、第３部材３１ｃの外側（凸部１１の先端側）に、断面Ｌ字形状の突条部３１ｄを有する。また、第３部材３１ｃは、建物開口部側の壁部の外側に、押縁係合部３１ｅを有する。
【００２１】
第１部材３１ａは、建物開口部側の壁部にカバー係合部３１ｆを有する。このカバー係合部３１ｆは、第１部材３１ａにおいて第３部材３１ｃ側の端部から、固定部材３４及びカバー部材４０の端部が挿入可能な距離だけ離隔した位置に設けられている。
【００２２】
第２部材３１ｂ内には、リップ溝形鋼１４が配置されており、この第２部材３１ｂを介して第１方立３１が建物１０に取り付けられている。第２部材３１ｂは、見込み方向の奥側（建物１０の内側）の壁部に、連結部３１ｇ，３１ｈが突出形成されている。
【００２３】
第２方立３２は、断面がコ字形状をしており、接合部３２ａが設けられている。そして、第２方立３２は、建物開口部とは反対側に開口して図２の窓部材１２を支持する凹部を形成している。更に、第２方立３２の第１方立３１側の側壁部には、連結部３２ｂ，３２ｃが突出形成されている。これら第２方立３２の連結部３２ｂ，３２ｃと、第１方立３１の連結部３１ｇ，３１ｈとがそれぞれ組み合った状態でボルト止めされることにより、第１方立３１及び第２方立３２が一体化される。
【００２４】
押縁３３は、断面が略Ｌ字形状となっており、押縁係合部３３ａを備えている。この押縁係合部３３ａと、第１方立３１の押縁係合部３１ｅとを係合させることにより、押縁３３は、第１方立３１に固定されて、上述したガラス部材１３の端部を支持するパネル支持部としての凹部を形成している。
【００２５】
固定部材３４は、第１部材３１ａの建物開口部側（見付け方向の内側）の壁部において、第３部材３１ｃ側にボルトによって取り付けられている。この固定部材３４は、引っ張った状態の受光幕１８の端部をボルトによって固定する。
【００２６】
モジュール枠３５は、第２方立３２に対して建物開口部側と反対側（見付け方向の外側）に配置され、ボルトによって第２方立３２に取り付けられている。このモジュール枠３５は、２つの略Ｌ字形状の枠部材３５ａ，３５ｂを組み合わせることにより、面発光部材１７の端部を支持する光源支持部としての凹部を形成している。
【００２７】
カバー部材４０は、建物開口部側（見付け方向の内側）において、第１方立３１を覆っており、着脱可能に第１方立３１に取り付けられている。本実施形態のカバー部材４０は、モジュール枠３５の見付け方向の内側の端面Ｌ１と面一となる側面部４０ａと、この側面部４０ａに対して屈曲した屈曲部４０ｂとを備えている。この屈曲部４０ｂは、第１部材３１ａの見込み方向の手前側の端部まで延びており、この端部において鋭角θで尖がった形状をしている。また、カバー部材４０は、第１カバー部材４１及び第２カバー部材４２から構成されている。
【００２８】
第１カバー部材４１は、第１部材３１ａを覆うように設けられており、第１部材３１ａの見込み方向の長さよりも長い。第１カバー部材４１は、側面部４０ａの見込み方向の手前側と、屈曲部４０ｂとを備えている。更に、第１カバー部材４１は、屈曲部４０ｂに続いて、断面Ｌ字形状の係止部４１ｃを有している。この係止部４１ｃと、第１部材３１ａとの間の空間には、固定部材３４が収納される。また、この係止部４１ｃの先端４１ａは、カバー係合部３１ｆに掛止している。
また、第１カバー部材４１は、第１部材３１ａと第２部材３１ｂの接続面近傍で、第１部材３１ａに向けて屈曲された枠面を有している。第１カバー部材４１は、枠面の先端部に形成されたフランジ部４１ｄと、屈曲した箇所に形成された係合部４１ｅとを備えている。フランジ部４１ｄは、第２部材３１ｂに、ボルト４３によってネジ止めされている。
【００２９】
第２カバー部材４２は、第１方立３１の第２部材３１ｂを覆うように設けられている。第２カバー部材４２は、第１カバー部材４１側（見込み方向の手前側）の端部に係合凸部４２ａが設けられている。この係合凸部４２ａが第１カバー部材４１の係合部４１ｅと連結されて、第１カバー部材４１及び第２カバー部材４２が一体となる。第２カバー部材４２は、見込み方向の奥側の先端部４２ｂは、第１方立３１の連結部３１ｇ及び第２方立３２の連結部３２ｂと、ボルト４４によって共締めされている。
【００３０】
化粧カバー５０は、第１方立３１の外側を覆って、建物１０の外観を構成する。本実施形態の化粧カバー５０は、Ｌ字形状に配置される３つの化粧部材５１，５２，５３から構成されている。各化粧部材５１，５２，５３の長手方向の長さは、各階の高さと同じ大きさで構成されており、上層階又は下層階の化粧カバー５０の各化粧部材５１，５２，５３と重なるように配置されている。また、各化粧部材５１，５２，５３は、突条部５１ａ，５２ａ，５３ａを備えており、この突条部５１ａ，５２ａ，５３ａを、第１方立３１の突条部３１ｄに引っ掛けることにより、取り付けられている。
【００３１】
以上のように構成した内装仕上げ部材２０の作用について、図４及び図５を用いて説明する。
図４は、建物１０の凸部１１を光壁として利用する場合の説明図であり、図５（ａ）は、面発光部材１７及び受光幕１８を取り外した場合における説明図である。図４（ａ）及び図５（ａ）は内装仕上げ部材２０の平面図、図４（ｂ）及び図５（ｂ）は内装仕上げ部材２０の正面図である。
凸部１１を光壁として利用する場合には、一対の内装仕上げ部材２０において面発光部材１７及び受光幕１８を設置する。面発光部材１７からの発光は、拡散されて受光幕１８に照射される。そして、この受光幕１８を透過した光は、ガラス部材１３を透過して、建物１０の凸部１１を発光させる。この場合、カバー部材４０は、ガラス部材１３側が鋭角θで尖がった形状を有しているので、面発光部材１７の発光がガラス部材１３の端部にまで回り込んで到達する。
【００３２】
次に、図４の状態から、面発光部材１７及び受光幕１８を取り外した状態に変更する場合を説明する。
この場合、まず、面発光部材１７をモジュール枠３５から取り外す。そして、第１方立３１から、第２カバー部材４２を取り外し、第１カバー部材４１を取り外す。そして、受光幕１８を張設していた固定部材３４を外して、受光幕１８を取り外す。そして、受光幕１８を取り外した状態で、固定部材３４、第１カバー部材４１及び第２カバー部材４２を取り付ける。以上により、面発光部材１７及び受光幕１８を取り外した図５に示す状態になる。この場合、モジュール枠３５の開口部に、図示しない押縁を挿入してもよい。
【００３３】
そして、図５に示すように、面発光部材１７及び受光幕１８を取り外した状態では、カバー部材４０がモジュール枠３５の開口側の端面Ｌ１から突出しない形態となる。
更に、図５に示す状態から、図４に示すように面発光部材１７及び受光幕１８を取り付ける場合には、カバー部材４０を取り外し、受光幕１８を固定部材３４によって張設し、再びカバー部材４０を取り付け、面発光部材１７を配置する。
【００３４】
本実施形態によれば、以下のような効果を得ることができる。
（１）本実施形態において、建物１０の凸部１１は、内装仕上げ部材２０と、一対の内装仕上げ部材２０の間に形成された建物開口部に配置されたガラス部材１３とから構成されている。対となる内装仕上げ部材２０の間には、ＬＥＤ光源が実装された面発光部材１７が配置されている。内装仕上げ部材２０は、第１方立３１の開口部側を覆うカバー部材４０を備えている。カバー部材４０は、モジュール枠３５の見付け方向の内側の端面Ｌ１と面一となる側面部４０ａと、この側面部４０ａに対して屈曲した屈曲部４０ｂとを備えている。この屈曲部４０ｂは、第１部材３１ａの見込み方向の手前側の端部まで延びており、この端部において鋭角θで尖がった形状をしている。これにより、第１カバー部材４１は、ガラス部材１３の端部まで露出するように配置されるので、面発光部材１７からの光がガラス部材１３の端部まで回り込み、均一にライトアップすることができる。
【００３５】
（２）本実施形態において、ガラス部材１３と面発光部材１７との間に受光幕１８を配置した。これにより、受光幕１８において照明の光を受けて、建物１０の外観を均一にライトイトアップすることができる。
【００３６】
（３）本実施形態においては、受光幕１８は、固定部材３４によって張設されている。また、固定部材３４は、第１カバー部材４１と第１方立３１の第１部材３１ａとで区画される空間に収納されている。これにより、第１カバー部材４１が、受光幕１８を固定する固定部材３４の抜け止めになるので、受光幕１８をしっかりと固定することができる。
【００３７】
（４）本実施形態において、面発光部材１７及び受光幕１８が内装仕上げ部材２０に着脱可能に設けられている。面発光部材１７及び受光幕１８を取り外すことにより、建物１０の凸部１１に関する外観を容易に変更することができる。
【００３８】
（５）本実施形態において、カバー部材４０は、モジュール枠３５の開口側の端面Ｌ１と面一となる側面部４０ａを有して、着脱可能に構成されている。これにより、面発光部材１７を取り外した場合には、モジュール枠３５の開口側の端面Ｌ１よりもカバー部材４０が突出することがないので、建物の屋内側をすっきりとさせることができる。
【００３９】
また、上記実施形態は、以下のように変更してもよい。
・上記実施形態においては、カバー部材４０は、モジュール枠３５の見付け方向の内側の端面Ｌ１と面一となる側面部４０ａと、この側面部４０ａに対して屈曲した屈曲部４０ｂとを備えている。この屈曲部４０ｂは、第１部材３１ａの見込み方向の手前側の端部まで延びており、この端部において鋭角θで尖がった形状をしている。カバー部材４０の形状は、パネル部材として機能するガラス部材１３が支持される端部において、ガラス部材１３との間で隙間を形成するように配置されていれば、これに限定されない。例えば、カバー部材４０を、面発光部材１７から、第１方立３１の第１部材３１ａの端部まで斜めに傾斜した側面部で構成してもよい。また、カバー部材４０の先端を、鋭角θで尖がった形状の代わりに、円弧形状にしてもよいし、鋭角θで尖がった形状の先端を平らにして第１部材３１ａの端部との間で隙間を形成するようにしてもよい。
【００４０】
また、カバー部材４０は、建物１０の凸部１１において内装仕上げ部材２０の最も内側に位置する部材（上記実施形態ではモジュール枠３５）の端面よりも突出しない大きさであれば、その部材（モジュール枠３５）の開口側の端面Ｌ１と面一でなくてもよい。この場合であっても、建物１０の凸部１１の空間をすっきりとさせることができる。
【００４１】
・上記実施形態のカバー部材４０は、第１カバー部材４１及び第２カバー部材４２から構成した。カバー部材４０は、この構成に限られず、第１カバー部材４１及び第２カバー部材４２を一体化形成してもよいし、更に、分割された部分から構成してもよい。
【００４２】
・上記実施形態において、各内装仕上げ部材２０は、第１方立３１、第２方立３２、押縁３３、固定部材３４、モジュール枠３５、カバー部材４０及び化粧カバー５０を備えている。内装仕上げ部材２０の構成は、これに限定されず、第１方立３１、第２方立３２及び押縁３３を一体化してもよいし、更に分割された部分から構成してもよい。また、各内装仕上げ部材２０の各構成部材の形状も、上述した形状に限定されない。この場合、建物１０の外側に配置されるパネル部材は、ガラス部材１３に限定されず、光が透過する材料であれば、例えば、半透明のプラスチック材料等で構成してもよい。
【符号の説明】
【００４３】
１０…建物、１１…凸部、１２…窓部材、１３…ガラス部材、１４…リップ溝形鋼、１５，４３，４４…ボルト、１６…方立ブラケット、１７…面発光部材、１８…受光幕、２０…内装仕上げ部材、３１…第１方立、３１ａ…第１部材、３１ｂ…第２部材、３１ｃ…第３部材、３１ｄ…突条部、３１ｅ…押縁係合部、３１ｆ…カバー係合部、３１ｇ，３１ｈ，３２ｂ，３２ｃ…連結部、３２…第２方立、３２ａ…接合部、３３…押縁、３３ａ…押縁係合部、３４…固定部材、３５…モジュール枠、３５ａ，３５ｂ…枠部材、４０…カバー部材、４０ａ…側面部、４０ｂ…屈曲部、４１…第１カバー部材、４１ｃ…係止部、４１ｄ…フランジ部、４１ｅ…係合部、４２…第２カバー部材、４２ａ…係合凸部、５０…化粧カバー、５１，５２，５３…化粧部材、５１ａ，５２ａ，５３ａ…突条部。
【図１】
2015078540.tif 000003
【図２】
2015078540.tif 000004
【図３】
2015078540.tif 000005
【図４】
2015078540.tif 000006
【図５】
2015078540.tif 000007